(57)【特許請求の範囲】
【請求項１】
複数のコンテンツの代表画像が重ねて配置された表示画面を生成する表示制御部を備え、
前記表示制御部は、前記代表画像の各々に、前記代表画像の各々の重なり方向上の位置に応じた動きを与え、前記重なり方向上の位置が背面側の代表画像の表示位置を、前記重なり方向上の位置が前面側である代表画像の表示位置よりも大きく変化させる、
前記表示画面は、前記複数のコンテンツの代表画像からなる画像グループを表示するグループ表示領域を含み、
前記表示制御部は、前記グループ表示領域に表示する画像グループの変更を指示されると、新たな画像グループを構成する代表画像の各々を、当該代表画像の各々の重なり方向上の位置に応じた遅延を与えて前記グループ表示領域に移動させる、表示制御装置。
【請求項２】
前記表示制御部は、前記新たな画像グループを構成する代表画像の各々に、前記重なり方向上の位置が背面側であるほど大きな遅延を与える、請求項１に記載の表示制御装置。
【請求項３】
前記表示制御部は、前記新たな画像グループを構成する代表画像の各々を、異なる軌道を描くように前記グループ表示領域に移動させる、請求項２に記載の表示制御装置。
【請求項４】
前記表示制御部は、前記新たな画像グループを構成する代表画像のうちで、前記グループ表示領域への移動方向と逆側に配置されている代表画像ほど大きな遅延を与える、請求項１〜３のいずれか１項に記載の表示制御装置。
【請求項５】
前記複数のコンテンツの代表画像の表示サイズは異なり、表示サイズの小さい代表画像ほど前記重なり方向上で背面側の位置に配置される、請求項１〜４のいずれか一項に記載の表示制御装置。
【請求項６】
複数のコンテンツの代表画像が重ねて配置された表示画面を生成するステップと；
前記代表画像の各々に、前記代表画像の各々の重なり方向上の位置に応じた動きを与え、前記重なり方向上の位置が背面側の代表画像の表示位置を、前記重なり方向上の位置が前面側である代表画像の表示位置よりも大きく変化させるステップと；
前記表示画面には、前記複数のコンテンツの代表画像からなる画像グループを表示するグループ表示領域が含まれ、前記グループ表示領域に表示する画像グループの変更を指示されると、新たな画像グループを構成する代表画像の各々を、当該代表画像の各々の重なり方向上の位置に応じた遅延を与えて前記グループ表示領域に移動させるステップと；
を含む、表示制御方法。
【請求項７】
コンピュータを、
複数のコンテンツの代表画像が重ねて配置された表示画面を生成する表示制御部を備え、
前記表示制御部は、前記代表画像の各々に、前記代表画像の各々の重なり方向上の位置に応じた動きを与え、前記重なり方向上の位置が背面側の代表画像の表示位置を、前記重なり方向上の位置が前面側である代表画像の表示位置よりも大きく変化させ、
前記表示画面は、前記複数のコンテンツの代表画像からなる画像グループを表示するグループ表示領域を含み、
前記表示制御部は、前記グループ表示領域に表示する画像グループの変更を指示されると、新たな画像グループを構成する代表画像の各々を、当該代表画像の各々の重なり方向上の位置に応じた遅延を与えて前記グループ表示領域に移動させる、表示制御装置として機能させるための、プログラム。
【発明の詳細な説明】
【技術分野】
【０００１】
本発明は、表示制御装置、表示制御方法、およびプログラムに関する。
【背景技術】
【０００２】
近日、ユーザが撮像した写真や動画などのコンテンツデータを管理するための表示制御装置またはソフトウェアが普及している。例えば、表示制御装置は、コンテンツデータを格納し、格納しているコンテンツデータの選択画面を表示し、選択画面においてユーザにより選択されたコンテンツデータを再生する。
【０００３】
上記のコンテンツデータの選択画面は例えばコンテンツデータのタイトルリストを含み、表示制御装置は、このタイトルリストからユーザにより選択されたタイトルに対応するコンテンツデータを再生する。他の例として、コンテンツデータの選択画面は、複数のコンテンツデータのサムネイルからなるサムネイルリストを含み、表示制御装置はこのサムネイルリストからユーザにより選択されたコンテンツデータを再生する。
【０００４】
このサムネイルリストに関し、特許文献１には、複数のサムネイルが重ねて配置されたサムネイルリストを表示する画像処理装置が開示されている。
【先行技術文献】
【特許文献】
【０００５】
【特許文献１】特開２０１０−４９１５８号公報
【発明の概要】
【発明が解決しようとする課題】
【０００６】
しかし、上記の画像処理装置では、背面側に配置されているサムネイル（代表画像）が前面側に配置されているサムネイルに隠れてしまうので、背面側に配置されているサムネイルの視認性を確保することが困難であるという問題があった。
【０００７】
そこで、本発明は、上記問題に鑑みてなされたものであり、本発明の目的とするところは、各代表画像のユーザによる視認性を向上することが可能な、新規かつ改良された表示制御装置、表示制御方法、およびプログラムを提供することにある。
【課題を解決するための手段】
【０００８】
上記課題を解決するために、本発明のある観点によれば、複数のコンテンツの代表画像が重ねて配置された表示画面を生成する表示制御部を備え、前記表示制御部は、前記代表画像の各々に、前記代表画像の各々の重なり方向上の位置に応じた動きを与える、表示制御装置が提供される。
【０００９】
前記表示制御部は、前記代表画像の各々に、前記重なり方向上の位置が背面側であるほど大きな動きを与えてもよい。
【００１０】
前記表示画面は、前記複数のコンテンツの代表画像からなる画像グループを表示するグループ表示領域を含み、前記表示制御部は、前記グループ表示領域に表示する画像グループの変更を指示されると、新たな画像グループを構成する代表画像の各々を、当該代表画像の各々の重なり方向上の位置に応じた遅延を与えて前記グループ表示領域に移動させてもよい。
【００１１】
前記表示制御部は、前記新たな画像グループを構成する代表画像の各々に、前記重なり方向上の位置が背面側であるほど大きな遅延を与えてもよい。
【００１２】
前記表示制御部は、前記新たな画像グループを構成する代表画像の各々を、異なる軌道を描くように前記グループ表示領域に移動させてもよい。
【００１３】
前記表示制御部は、前記新たな画像グループを構成する代表画像のうちで、前記グループ表示領域への移動方向と逆側に配置されている代表画像ほど大きな遅延を与えてもよい。
【００１４】
前記複数のコンテンツの代表画像の表示サイズは異なり、表示サイズの小さい代表画像ほど前記重なり方向上で背面側の位置に配置されてもよい。
【００１５】
また、上記課題を解決するために、本発明の別の観点によれば、複数のコンテンツの代表画像が重ねて配置された表示画面を生成するステップと、前記代表画像の各々に、前記代表画像の各々の重なり方向上の位置に応じた動きを与えるステップと、を含む表示制御方法が提供される。
【００１６】
また、上記課題を解決するために、本発明の別の観点によれば、コンピュータを、複数のコンテンツの代表画像が重ねて配置された表示画面を生成する表示制御部を備え、前記表示制御部は、前記代表画像の各々に、前記代表画像の各々の重なり方向上の位置に応じた動きを与える、表示制御装置として機能させるための、プログラムが提供される。
【発明の効果】
【００１７】
以上説明したように本発明によれば、各代表画像のユーザによる視認性を向上することが可能である。
【図面の簡単な説明】
【００１８】
【図１】本発明の実施形態による表示制御システムの構成を示した説明図である。
【図２】本発明の実施形態による表示制御装置の構成を示した説明図である。
【図３】イベント単位表示画面の具体例を示した説明図である。
【図４】イベント単位表示画面における各サムネイルの動きを示した説明図である。
【図５】イベント単位表示画面の具体例を示した説明図である。
【図６】新たに選択されたサムネイルグループがサムネイル表示領域に移動する様子を示した説明図である。
【図７】移動時の各サムネイルの軌道を示した説明図である。
【図８】日付単位表示画面の具体例を示した説明図である。
【図９】時刻単位表示画面の具体例を示した説明図である。
【図１０】日付単位表示画面から時刻単位表示画面への遷移画面を示した説明図である。
【図１１】日付単位表示画面から時刻単位表示画面への遷移画面を示した説明図である。
【図１２】日付単位表示画面から時刻単位表示画面への遷移画面を示した説明図である。
【図１３】本発明の実施形態による表示制御装置１０の動作を示したフローチャートである。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２１】
また、以下に示す項目順序に従って当該「発明を実施するための形態」を説明する。
１．表示制御システムの構成
２．イベント単位表示画面
３．日付単位表示画面
４．時刻単位表示画面
５．日付単位表示画面から時刻単位表示画面への遷移
６．表示制御装置の動作
７．むすび
【００２２】
＜１．表示制御システムの構成＞
まず、図１および図２を参照し、本発明の実施形態による表示制御システム１の構成を説明する。
【００２３】
図１は、本発明の実施形態による表示制御システム１の構成を示した説明図である。図１に示したように、本発明の実施形態による表示制御システム１は、表示制御装置１０と、操作機器２０と、表示装置３０と、を備える。
【００２４】
操作機器２０は、ユーザが表示制御装置１０の動作を指示する操作を行うための構成である。操作機器２０は、ユーザにより操作されると、ユーザによる操作内容に応じた操作信号を表示制御装置１０に送信する。
【００２５】
なお、図１においては、操作機器２０の一例としてゲーム機のコントローラを示しているが、操作機器２０は、マウス、キーボード、タッチパネル、ボタン、マイクロフォン、スイッチおよびレバーなどの入力手段であってもよい。また、図１においては操作機器２０が表示制御装置１０と有線で接続される例を示したが、操作機器２０は表示制御装置１０と無線で接続されてもよい。さらに、図１においては操作機器２０が表示制御装置１０と別個に設けられる例を示したが、操作機器２０の機能は表示制御装置１０に実装されてもよい。
【００２６】
表示装置３０は、表示制御装置２０により生成されて供給される表示画面を表示する。この表示装置３０は、例えば、ＣＲＴ（Ｃａｔｈｏｄｅ  Ｒａｙ  Ｔｕｂｅ）ディスプレイ装置、液晶ディスプレイ（ＬＣＤ）装置、またはＯＬＥＤ（Ｏｒｇａｎｉｃ  Ｌｉｇｈｔ  Ｅｍｉｔｔｉｎｇ  Ｄｉｏｄｅ）装置であってもよい。なお、図１においては表示装置３０が表示制御装置１０と別個に設けられる例を示したが、表示装置３０の機能は表示制御装置１０に実装されてもよい。
【００２７】
表示制御装置１０は、操作機器２０から入力される操作信号に応じた表示画面を生成し、生成した表示画面を表示装置３０に供給する。図１においては、このような表示制御装置１０の一例としてゲーム機を示しているが、表示制御装置１０は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家電機器、携帯電話、携帯用映像処理装置、携帯用ゲーム機器などの情報処理装置であってもよい。
【００２８】
また、図２に示したように、本発明の実施形態による表示制御装置２０は、記憶部１２と、操作検出部１４と、表示制御部１６と、を備える。
【００２９】
記憶部１２は、複数のコンテンツに関するコンテンツデータ、サムネイル（代表画像）、およびタイトルや取得日時などのコンテンツ情報を記憶する。また、複数のコンテンツは、既知のクラスタリング技術によりグループ化されている。例えば、取得日時が近いコンテンツで１つのグループを形成するクラスタリング技術を用いてもよい。
【００３０】
なお、本明細書においては、コンテンツデータがユーザによって撮像された動画データである例に重きをおいて説明するが、コンテンツデータは、静止画であってもよいし、音楽、講演およびラジオ番組などの音声データであってもよいし、ゲームおよびソフトウェアなどであってもよい。また、サムネイルは、コンテンツデータの一部の静止画または動画など、コンテンツの内容に応じたコンテンツの代表画像であってもよい。
【００３１】
このような各種データを記憶する記憶部１２は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。なお、記憶部１２は、表示制御装置１０が本発明の実施形態に従って動作するためのプログラムをさらに記憶してもよい。
【００３２】
操作検出部１４は、操作機器２０から入力される操作信号を検出する。操作信号の示す内容としては、後述する表示モード切替え操作、選択対象の変更操作、および再生開始操作などが挙げられる。
【００３３】
表示制御部１６は、イベント単位表示画面、日付単位表示画面および時刻単位表示画面などを生成する。表示制御部１６は、ユーザによる表示モード切替え操作に応じ、表示画面をイベント単位表示画面、日付単位表示画面および時刻単位表示画面の間で切り替える。以下、図面を参照し、本発明の実施形態によるイベント単位表示画面、日付単位表示画面および時刻単位表示画面の各々を詳細に説明する。
【００３４】
＜２．イベント単位表示画面＞
イベント単位表示画面は、イベントごとにグループ化されたコンテンツデータの選択画面である。以下、図３を参照し、このイベント単位表示画面の具体例を説明する。なお、本願の各図面においては、図面の明瞭性の観点から、一部のサムネイルの表示内容を省略する。
【００３５】
図３は、イベント単位表示画面５０Ａの具体例を示した説明図である。図３に示したように、イベント単位表示画面５０Ａは、イベント項目表示５１、サムネイル表示領域５２、コンテンツ数表示５３、再生時間表示５４、およびサムネイルグループ４０−７〜４０−９を含む。
【００３６】
イベント項目表示５１は、対象のイベントを識別する項目表示である。図３に示したように、日付によってコンテンツがイベント単位に分類される場合、イベント項目表示５１は、イベント番号と、当該イベントに分類されたコンテンツの取得日時（撮影日時）を含む。
【００３７】
サムネイル表示領域５２は、選択中のイベントに分類されたコンテンツのサムネイルからなるサムネイルグループ（画像グループ）を表示するためのグループ表示領域である。図３に示した例では、イベント８が選択中であるので、イベント８に分類されたコンテンツのサムネイルグループ４０−８がサムネイル表示領域５２に表示される。
【００３８】
コンテンツ数表示５３は、選択中のイベントに分類されたコンテンツ数を示し、再生時間表示５４は、選択中のイベントに分類されたコンテンツの再生総時間を示す。
【００３９】
また、本発明の実施形態による表示制御部１６は、図３に示したように、サムネイルグループ４０を構成する各サムネイルを重ねて配置する。また、図３に示した例では、重なり方向上の位置が前面側であるサムネイルほど表示サイズが大きく、重なり方向上の位置が背面側であるサムネイルほど表示サイズが小さい。ただし、表示サイズと重なり方向上の位置の関係はこれに限定されず、反対に、重なり方向上の位置が前面側であるサムネイルほど表示サイズが小さく、重なり方向上の位置が背面側であるサムネイルほど表示サイズが大きくてもよい。
【００４０】
また、サムネイルグループ４０を構成する各サムネイルの重なり方向上の位置は特に限定されないが、表示制御部１６は、例えば取得日時の古いコンテンツのサムネイルほど前面側に配置してもよい。
【００４１】
このように、イベント単位表示画面５０においてはサムネイルグループ４０を構成する各サムネイルを重ねて配置される。さらに、本発明の実施形態による表示制御部１６は、各サムネイルの視認性を向上するために、サムネイルグループ４０を構成する各サムネイルに動きを与えることにより各サムネイルの表示位置を変化させる。以下、この表示制御について図４を参照してより具体的に説明する。
【００４２】
図４は、イベント単位表示画面５０における各サムネイルの動きを示した説明図である。図４に示したように、表示制御部１６は、イベント単位表示画面において各サムネイルの表示位置を変化させる。より具体的には、表示制御部１６は、サムネイルの各々に、重なり方向上の位置が背面側であるほど大きな動きを与える。このため、例えば図４に示しように、前面側に配置されているサムネイル４１０および４２０に比べ、背面側に配置されているサムネイル４５０、４６０、４７０および４８０は表示位置が大きく変化する。
【００４３】
背面側に配置されるサムネイルは前面側に配置されるサムネイルに隠れてしまいがちであるが、上記の表示制御によれば、背面側に配置されるサムネイルの視認性を向上することが可能である。なお、全てのサムネイルが異なる動きを有する必要ない。例えば、サムネイルグループ４０を構成するサムネイルは重なり方向上の位置（重なり順序）に応じて２以上のレイヤに分類され、表示制御部１６は、同一レイヤを構成するサムネイルに同一の動きを与えてもよい。
【００４４】
（選択イベント変更時のサムネイルグループ４０の移動）
ユーザは、上述したイベント単位表示画面５０において選択イベントの変更操作を行うことができる。表示制御部１６は、かかる選択イベントの変更操作に応じ、新たに選択されたイベントに関する表示（イベント項目表示５１やサムネイルグループ４０）を中央に移動させる。例えば、図３に示したようにイベント８が選択されているイベント単位表示画面５０Ａにおいて、ユーザが下方向への選択イベントの変更操作を行った場合、表示制御部１６は、図５に示すように、イベント９に関する表示を中央に移動させる。
【００４５】
ここで、表示制御部１６は、新たなサムネイルグループ４０−９をサムネイル表示領域５２に移動させる際に、サムネイルグループ４０−９を構成する各サムネイルの視認性を向上するための表示制御を行う。以下、この表示制御について図６および図７を参照して説明する。
【００４６】
図６は、新たに選択されたサムネイルグループ４０−９がサムネイル表示領域５２に移動する様子を示した説明図である。図６に示したように、表示制御部１６は、サムネイルグループ４０−９の移動に際し、サムネイルグループ４０−９を構成する各サムネイルに異なる移動遅延を与える。
【００４７】
例えば、表示制御部１６は、図６に示したように、サムネイルの各々に重なり方向上の位置が背面側であるほど大きな移動遅延を与える。また、表示制御部１６は、サムネイル表示領域５２への移動方向と逆側に配置されているサムネイルほど（図６に示した例では、移動方向が上側であるので、下側に配置されているサムネイルほど）大きな移動遅延を与えてもよい。
【００４８】
かかる構成によれば、新たなサムネイルグループ４０を構成する各サムネイルの視認性を、新たなサムネイルグループ４０のサムネイル表示領域５２への移動時にも向上することが可能である。
【００４９】
なお、上記では表示制御部１６がサムネイルの各々に重なり方向上の位置が背面側であるほど大きな移動遅延を与える例を説明したが、表示制御部１６は、サムネイルの各々に重なり方向上の位置が前面側であるほど大きな移動遅延を与えてもよい。この場合にも同様に、各サムネイルの視認性を向上することが可能である。
【００５０】
さらに、表示制御部１６は、サムネイルグループ４０−９の移動に際し、サムネイルグループ４０−９を構成する各サムネイルが異なる軌道を描くような表示制御を行ってもよい。例えば、表示制御部１６は、図７に示したように、最前面に配置されているサムネイルは直線を描くように移動させ、背面側に配置されているサムネイルほど鋭い円弧を描くように移動させてもよい。かかる構成によれば、サムネイルグループ４０の移動時の各サムネイルの視認性を一層向上することが可能である。
【００５１】
以上説明したイベント単位表示画面５０においてユーザにより表示モードの変更操作が行われると、表示制御部１６は、以下に説明する日付単位表示画面を生成し、表示装置３０に日付単位表示画面を表示させる。
【００５２】
＜３．日付単位表示画面＞
日付単位表示画面は、コンテンツデータのサムネイルがコンテンツデータの取得日を基準に整理された画面である。ユーザは、この日付単位表示画面において所望のコンテンツデータを選択することができる。
【００５３】
図８は、日付単位表示画面６０の具体例を示した説明図である。図８に示したように、日付単位表示画面６０においては、日付が縦方向に配置され、各日付の横方向にその日付に取得されたコンテンツデータのサムネイルが配置される。例えば、日付「２０１０年７月１７日」の横方向には、「２０１０年７月１７日」が取得日であるコンテンツデータのサムネイル４１０、４２０、４３０、および４４０が配置される。
【００５４】
ユーザは、この日付単位表示画面６０において操作機器２０を操作して所望のサムネイル（コンテンツデータ）にカーソルを合わせることができる。なお、日付単位表示画面６０において表示される各サムネイルは、対応するコンテンツデータ中の任意の静止画または動画であってもよいが、表示制御部１６は、ユーザ操作に応じたサムネイルをコンテンツデータ中から抽出してもよい。例えば、ユーザにより顔画像を含むサムネイルの表示を指示された場合、表示制御部１６は、各コンテンツデータから顔画像を含む静止画部分または動画部分をサムネイルとして抽出してもよい。
【００５５】
以上説明した日付単位表示画面６０においてユーザにより表示モードの変更操作が行われると、表示制御部１６は、上述したイベント単位表示画面５０、または以下に説明する時刻単位表示画面を生成する。
【００５６】
＜４．時刻単位表示画面＞
時刻単位表示画面は、１のコンテンツデータにつき複数のサムネイルが当該コンテンツデータの取得時刻を基準に整理された画面である。ユーザは、この時刻単位表示画面においても所望のコンテンツデータを選択することができる。
【００５７】
図９は、時刻単位表示画面７０の具体例を示した説明図である。図９に示したように、時刻単位表示画面７０においては、時刻が縦方向に配置され、各時刻の横方向にその時刻に取得されたコンテンツデータの複数のサムネイルが配置される。例えば、時刻「２０１０年７月１７日１６時４１分」の横方向には、「２０１０年７月１７日１６時４１分」が取得開始時刻であるコンテンツデータのサムネイル４１０、４１１、４１２、および４１３が配置される。
【００５８】
また、時刻単位表示画面７０においては、日付単位表示画面６０において横方向に配置されていたサムネイル４１０、４２０、４３０、および４４０が、縦方向に配置される。このように配置が変更される課程については「５．日付単位表示画面から時刻単位表示画面への遷移」において詳細に説明する。
【００５９】
ここで、各コンテンツデータに関して配置されるサムネイル数は、例えばコンテンツデータの再生時間に基づいてもよい。すなわち、表示制御部１６は、再生時間の長いコンテンツデータに関してはより多くのサムネイルを配置してもよい。例えば、「２０１０年７月１７日１７時４５分」が取得時刻であるコンテンツデータは、「２０１０年７月１７日１６時４５分」が取得時刻であるコンテンツデータより再生時間が長いので、配置されるサムネイル（４４０〜４４４）も多い。
【００６０】
また、表示制御部１６は、１のコンテンツデータに関して配置するサムネイル数を所定の最大数以下に抑えてもよい。例えば、表示制御部１６は、時刻単位表示画面７０においてスクロール無しに１のコンテンツデータに関する全てのサムネイルを視認できるように、１のコンテンツデータに関して配置するサムネイル数を５枚以下に抑えてもよい。
【００６１】
また、表示制御部１６は、ユーザにより顔画像を含むサムネイルの表示を指示された場合、各コンテンツデータから顔画像を含む静止画部分または動画部分をサムネイルとして抽出して配置してもよい。この場合、表示制御部１６は、各コンテンツデータに関するサムネイルを上記所定の最大数を超えて配置してもよい。
【００６２】
以上説明した時刻単位表示画面７０または日付単位表示画面６０においてユーザによりコンテンツデータの選択が決定されると、表示制御部１６は、選択が決定されたコンテンツデータの再生を開始し、コンテンツデータの再生画面を表示装置３０に表示させる。または、イベント単位表示画面４０においてイベントの選択が決定されると、表示制御部１６は、選択されたイベントに分類された複数のコンテンツデータを順次に再生する。
【００６３】
＜５．日付単位表示画面から時刻単位表示画面への遷移＞
ここで、上述した日付単位表示画面６０から時刻単位表示画面７０への画面遷移について図８〜図１２を参照して説明する。
【００６４】
図８に示した日付単位表示画面６０においてユーザにより時刻単位表示画面７０への遷移を指示されると、表示制御部１６は、図１０〜図１２に示す遷移中画面６２Ａ、６２Ｂ、および６２Ｃなどを生成した後に、時刻単位表示画面７０を生成する。
【００６５】
具体的には、ユーザにより時刻単位表示画面７０への遷移を指示されると、表示制御部１６は、図１０に示したように、取得日が同一であるコンテンツデータのサムネイル（例えば、４１０、４２０、４３０、および４４０）の配置方向を、横方向から縦方向に向けて時計周りに回転させる。
【００６６】
その後、図１１に示したように、取得日が同一であるコンテンツデータのサムネイル（例えば、４１０、４２０、４３０、および４４０）の配置方向が縦方向に至ると、表示制御部１６は、各サムネイルの取得日時を表示する。
【００６７】
さらに、表示制御部１６は、各コンテンツデータのサムネイル（例えば、４１０）の背面から、当該コンテンツデータの新たなサムネイル（例えば、４１１、４１２、４１３）を広げ、最終的に、図９に示したような時刻単位表示画面７０を生成する。
【００６８】
かかる構成によれば、日付単位や時刻単位など異なる階層による表示画面間の遷移において、サムネイルの表示位置をアニメーションにより移動させることができるので、遷移後の画面における遷移前の各サムネイルの位置をユーザが容易に把握可能である。
【００６９】
＜６．表示制御装置の動作＞
以上、本発明の実施形態による表示制御システム１および各表示画面の構成などについて説明した。続いて、図１３を参照し、本発明の実施形態による表示制御装置１０の動作を簡単にまとめる。
【００７０】
図１３は、本発明の実施形態による表示制御装置１０の動作を示したフローチャートである。図１３に示したように、まず、表示制御装置１０は、図３などに示したイベント単位表示画面５０を生成すると（Ｓ１１０）、イベント単位表示画面５０に含まれる各サムネイルに重なり位置に応じた動きを与える（Ｓ１２０）。
【００７１】
その後、ユーザにより選択イベントが変更されると、表示制御装置１０は、新たに選択されたサムネイルグループを、各サムネイルに重なり位置に応じた移動遅延を与えてサムネイル表示領域５２に移動させる（Ｓ１４０）。
【００７２】
また、ユーザによる表示モードの変更操作が行われると（Ｓ１５０）、表示制御装置１０は、イベント単位表示画面５０を日付単位表示画面６０または時刻単位表示画面７０に切り替える（Ｓ１６０）。
【００７３】
＜７．むすび＞
以上説明したように、本発明の実施形態によれば、表示制御部１６が、イベント単位表示画面５０において各サムネイルに異なる動きを与えることにより、各サムネイルの視認性を向上することができる。また、表示制御部１６が、サムネイルグループ４０の移動時に、サムネイルグループ４０を構成する各サムネイルに異なる移動遅延を与えることにより、サムネイルグループ４０の移動時にも各サムネイルの視認性を向上することが可能である。
【００７４】
また、本発明の実施形態による表示制御部１６は、日付単位や時刻単位など異なる階層による表示画面間の遷移において、サムネイルの表示位置をアニメーションにより移動させることができるので、遷移後の画面における遷移前の各サムネイルの位置をユーザが容易に把握可能である。
【００７５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７６】
また、表示制御装置１０に内蔵されるＣＰＵ、ＲＯＭおよびＲＡＭなどのハードウェアを、上述した表示制御装置１０の各構成と同等の機能を発揮させるためのコンピュータプログラムも作成可能である。また、該コンピュータプログラムを記憶させた記憶媒体も提供される。
【符号の説明】
【００７７】
１０      表示制御装置
１２      記憶部
１４      操作検出部
１６      表示制御部
２０      操作機器
３０      表示装置
【図１】
0005728235.tif 000002
【図２】
0005728235.tif 000003
【図３】
0005728235.tif 000004
【図４】
0005728235.tif 000005
【図５】
0005728235.tif 000006
【図６】
0005728235.tif 000007
【図７】
0005728235.tif 000008
【図８】
0005728235.tif 000009
【図９】
0005728235.tif 000010
【図１０】
0005728235.tif 000011
【図１１】
0005728235.tif 000012
【図１２】
0005728235.tif 000013
【図１３】
0005728235.tif 000014